(57)【要約】【課題】遊技に不慣れな遊技者でもメダルを取りこぼさないスロットマシン１０を提供する。【解決手段】各回転リール４０毎にＹ個の図柄を表示するように、図柄表示窓７２を形成する。滑りコマ数の範囲を０以上Ｚ以下として各回転リール４０の停止制御を行うように、停止制御手段１３０を形成する。各回転リール４０の周囲には、同一種類の役図柄を（Ｙ＋Ｚ−１）個おき以内の間隔で付す。役抽選手段１１０の抽選結果がいずれかの役の当選となったときには、当該役に対応した役図柄が図柄表示窓７２に表示されることとなるいずれかの適正停止位置で各回転リール４０の回転を停止させるように、停止制御手段１３０を形成する。各回転リール４０についての停止表示図柄の中にそれぞれ同一種類の役図柄があると当該役図柄に対応する役に入賞したと判定するように、入賞判定手段１４０を形成する。【選択図】    図１
2004313447.tif 000002
【特許請求の範囲】
【請求項１】
周囲に複数個の図柄が付されている第１から第ＸまでのＸ個の回転リールと、各回転リールの前方に設けられており且つ各回転リールの周囲に付されている複数個の図柄のうちのＹ個を表示するための図柄表示窓と、各回転リールの回転を開始させるためのスタートスイッチと、各回転リールの回転を停止させるためのものであり且つ各回転リールにそれぞれ対応して設けられているストップスイッチと、スロットマシンを制御するための制御装置とを備え、
制御装置は、遊技を制御するための遊技制御手段と、複数の役のいずれかに当選したか又はハズレかの抽選を行うための役抽選手段と、役抽選手段の抽選結果と各ストップスイッチが操作されたときの対応する回転リールの回転位置とに基づいて各回転リールの停止制御を行うための停止制御手段と、すべての回転リールの回転が停止した際に図柄表示窓に表示される図柄の配列に基づいて複数の役のいずれかに入賞したか又は入賞なしかの判定を行うための入賞判定手段とを備え、
Ｙ個の図柄が図柄表示窓に対して適正な位置に表示されるときの各回転リールの停止位置を適正停止位置とし、ある回転リールの回転がいずれかの適正停止位置で停止した際に図柄表示窓に表示されるＹ個の図柄を停止表示図柄とし、ストップスイッチの操作から対応する回転リールの回転がいずれかの適正停止位置で停止するまでの間に通過する適正停止位置の数を滑りコマ数としたときに、
停止制御手段は、滑りコマ数の範囲を０以上Ｚ以下として、各回転リールの停止制御を行うように形成され、
各回転リールの周囲に付されている図柄には、少なくとも、複数の役のいずれかに対応した図柄である役図柄があり、
各回転リールの周囲には、同一種類の役図柄が（Ｙ＋Ｚ−１）個おき以内の間隔で付され、
停止制御手段は、役抽選手段の抽選結果がいずれかの役の当選となったときには、当該役に対応した役図柄が図柄表示窓に表示されることとなるいずれかの適正停止位置で、各回転リールの回転を停止させるように形成され、
入賞判定手段は、第１から第Ｘまでの各回転リールについての停止表示図柄の中にそれぞれ同一種類の役図柄があると、当該役図柄に対応する役に入賞したと判定するように形成されていることを特徴とするスロットマシン。
【請求項２】
回転リールは、第１から第３まで備えられ、
図柄表示窓は、各回転リールの周囲に付されている複数個の図柄のうちの３個を表示するように形成され、
第１回転リールの回転が停止した際に図柄表示窓に表示される３個の図柄をそれぞれ第１回転リール上図柄、第１回転リール中図柄、第１回転リール下図柄とし、
第２回転リールの回転が停止した際に図柄表示窓に表示される３個の図柄をそれぞれ第２回転リール上図柄、第２回転リール中図柄、第２回転リール下図柄とし、
第３回転リールの回転が停止した際に図柄表示窓に表示される３個の図柄をそれぞれ第３回転リール上図柄、第３回転リール中図柄、第３回転リール下図柄とし、
第１回転リール中図柄、第２回転リール中図柄、及び第３回転リール中図柄を通る第１入賞ラインと、
第１回転リール上図柄、第２回転リール上図柄、及び第３回転リール上図柄を通る第２入賞ラインと、
第１回転リール下図柄、第２回転リール下図柄、及び第３回転リール下図柄を通る第３入賞ラインと、
第１回転リール上図柄、第２回転リール上図柄、及び第３回転リール中図柄を通る第４入賞ラインと、
第１回転リール上図柄、第２回転リール上図柄、及び第３回転リール下図柄を通る第５入賞ラインと、
第１回転リール上図柄、第２回転リール中図柄、及び第３回転リール上図柄を通る第６入賞ラインと、
第１回転リール上図柄、第２回転リール中図柄、及び第３回転リール中図柄を通る第７入賞ラインと、
第１回転リール上図柄、第２回転リール中図柄、及び第３回転リール下図柄を通る第８入賞ラインと、
第１回転リール上図柄、第２回転リール下図柄、及び第３回転リール上図柄を通る第９入賞ラインと、
第１回転リール上図柄、第２回転リール下図柄、及び第３回転リール中図柄を通る第１０入賞ラインと、
第１回転リール上図柄、第２回転リール下図柄、及び第３回転リール下図柄を通る第１１入賞ラインと、
第１回転リール中図柄、第２回転リール上図柄、及び第３回転リール上図柄を通る第１２入賞ラインと、
第１回転リール中図柄、第２回転リール上図柄、及び第３回転リール中図柄を通る第１３入賞ラインと、
第１回転リール中図柄、第２回転リール上図柄、及び第３回転リール下図柄を通る第１４入賞ラインと、
第１回転リール中図柄、第２回転リール中図柄、及び第３回転リール上図柄を通る第１５入賞ラインと、
第１回転リール中図柄、第２回転リール中図柄、及び第３回転リール下図柄を通る第１６入賞ラインと、
第１回転リール中図柄、第２回転リール下図柄、及び第３回転リール上図柄を通る第１７入賞ラインと、
第１回転リール中図柄、第２回転リール下図柄、及び第３回転リール中図柄を通る第１８入賞ラインと、
第１回転リール中図柄、第２回転リール下図柄、及び第３回転リール下図柄を通る第１９入賞ラインと、
第１回転リール下図柄、第２回転リール上図柄、及び第３回転リール上図柄を通る第２０入賞ラインと、
第１回転リール下図柄、第２回転リール上図柄、及び第３回転リール中図柄を通る第２１入賞ラインと、
第１回転リール下図柄、第２回転リール上図柄、及び第３回転リール下図柄を通る第２２入賞ラインと、
第１回転リール下図柄、第２回転リール中図柄、及び第３回転リール上図柄を通る第２３入賞ラインと、
第１回転リール下図柄、第２回転リール中図柄、及び第３回転リール中図柄を通る第２４入賞ラインと、
第１回転リール下図柄、第２回転リール中図柄、及び第３回転リール下図柄を通る第２５入賞ラインと、
第１回転リール下図柄、第２回転リール下図柄、及び第３回転リール上図柄を通る第２６入賞ラインと、
第１回転リール下図柄、第２回転リール下図柄、及び第３回転リール中図柄を通る第２７入賞ラインと、を設定し、
入賞判定手段は、第１から第２７までのいずれかの入賞ライン上に同一種類の役図柄が３個揃うと、当該役図柄に対応する役に入賞したと判定するように形成されていることを特徴とする請求項１記載のスロットマシン。
【請求項３】
入賞判定手段は、メダルの投入枚数が最大に満たないときには、第１から第２７までの２７本の入賞ラインのうちの２６本以下の入賞ラインに基づいて、入賞判定を行うように形成されていることを特徴とする請求項２記載のスロットマシン。
【請求項４】
入賞判定手段は、所定の条件が達成されたときには、第１から第２７までの２７本の入賞ラインのうちの２６本以下の入賞ラインに基づいて、入賞判定を行うように形成されていることを特徴とする請求項２又は３記載のスロットマシン。
【請求項５】
遊技制御手段は、遊技として、一般的な遊技である一般遊技と、遊技者にとって一般遊技よりも有利な遊技である特別遊技とを実行可能に形成され、
入賞判定手段は、特別遊技中は、第１から第２７までの２７本の入賞ラインのうちの２６本以下の入賞ラインに基づいて、入賞判定を行うように形成されていることを特徴とする請求項２、３又は４記載のスロットマシン。
【発明の詳細な説明】
【０００１】
【発明の属する技術分野】
本発明は、スロットマシンに関し、更に詳しくは、各回転リールについての停止表示図柄の中にそれぞれ同一種類の役図柄があると、当該役図柄に対応する役に入賞したと判定するスロットマシンに関するものである。
【０００２】
【従来の技術】
従来の多くのスロットマシンは、周囲に２１個の図柄が付されている３個の回転リールを備えている。また、各回転リールの前方には、各回転リールの周囲に付されている２１個の図柄のうちの３個を表示するための図柄表示窓が設けられている。また、図柄表示窓の下方には、各回転リールの回転を開始させるためのスタートスイッチや、各回転リールの回転を停止させるためのものであり且つ各回転リールにそれぞれ対応している３個のストップスイッチなどが設けられている。そして、メダルを投入すると、メダルの投入枚数に応じた本数の入賞ラインが有効になる。また、メダルの投入を条件に、スタートスイッチを操作すると、役抽選手段により抽選が行われる。また、この抽選とほぼ同時に、３個すべての回転リールの回転が開始する。その後に、３個のストップスイッチのうちの１個を操作すると、当該ストップスイッチに対応した回転リールの回転が停止する。そして、３個すべてのストップスイッチを操作し終えると、３個すべての回転リールの回転が停止する。このとき、有効な入賞ライン上に所定の図柄が所定の配列で揃うと、いずれかの役の入賞となり、入賞態様に応じた枚数のメダルが払い出される。また、メダルの払い出しに代えて、あるいはメダルの払い出しとともに、遊技者に対して所定の利益が付与されることもある。
【０００３】
また、遊技には、例えば、一般的な遊技である一般遊技と、一般遊技よりも入賞確率が高い遊技である特定遊技（レギュラーボーナスゲーム／ＲＢゲーム）と、特定遊技の導入確率が高い遊技である特定導入遊技（ビッグボーナスゲーム／ＢＢゲーム）とがある。
また、役抽選手段の抽選結果には、例えば、特定導入遊技当選（ビッグボーナス当選／ＢＢ当選）と、特定遊技当選（レギュラーボーナス当選／ＲＢ当選）と、第１小役当選と、第２小役当選と、第３小役当選と、再遊技当選（Ｒｅｐｌａｙ当選）と、ハズレとがある。
【０００４】
また、入賞には、例えば、ＢＢゲームへの移行に係る特定導入遊技入賞（ビッグボーナス入賞／ＢＢ入賞）と、ＲＢゲームへの移行に係る特定遊技入賞（レギュラーボーナス入賞／ＲＢ入賞）と、所定枚数（例えば１２枚）のメダルの払い出しに係る第１小役入賞と、この第１小役入賞よりも少ない枚数（例えば８枚）のメダルの払い出しに係る第２小役入賞と、この第２小役入賞よりも少ない枚数（例えば２枚又は４枚）のメダルの払い出しに係る第３小役入賞と、再遊技の実行に係る再遊技入賞（Ｒｅｐｌａｙ入賞）とがある。
【０００５】
また、各回転リールの周囲には、例えば、ＢＢ入賞に対応した「７」の図柄と、ＲＢ入賞に対応した「ＢＡＲ」の図柄と、第１小役入賞に対応した「ベル」の図柄と、第２小役入賞に対応した「スイカ」の図柄と、第３小役入賞に対応した「チェリー」の図柄と、Ｒｅｐｌａｙ入賞に対応した「プラム」の図柄とが、所定の順序で付されている。
【０００６】
また、各回転リールの停止制御は、役抽選手段の抽選結果と、ストップスイッチが操作されたときの対応する回転リールの回転位置とに基づいて行われる。
例えば、役抽選手段の抽選結果が第１小役当選になると、この第１小役当選と、ストップスイッチが操作されたときの対応する回転リールの回転位置とに基づいて、各回転リールの停止制御が行われる。このとき、「ベル」の図柄が有効な入賞ライン上に３個揃い得るようになるとともに、「ベル」以外の図柄については、有効な入賞ライン上に３個揃わないようになる。そして、３個すべての回転リールの回転を停止させたときに、「ベル」の図柄が有効な入賞ライン上に３個揃うと、第１小役入賞となり、所定枚数（例えば１２枚）のメダルが払い出される。
【０００７】
ただ、役抽選手段の抽選結果が第１小役当選となっても、ストップスイッチの操作のタイミングが適正でなければ、「ベル」の図柄を有効な入賞ライン上に３個揃えることができず、ひいてはメダルを獲得できないこととなる。すなわち、「メダルの取りこぼし」が発生してしまうこととなる。
そこで、このような「メダルの取りこぼし」をなくすべく、例えば、当選した役に対応する図柄を告知する手段を備えたスロットマシンなども提案されている（特許文献１参照）。
【０００８】
なお、本明細書中、「当選」とは、役の抽選で当たることを意味し、「入賞」とは、すべての回転リールの回転が停止したときに有効な入賞ライン上に所定の図柄が所定の配列で揃うことを意味する。
【０００９】
【特許文献１】
特開２００３−２４５０６号公報
【００１０】
【発明が解決しようとする課題】
しかし、従来のスロットマシンでは、入賞ラインの本数などが限られていたため、当選した役に対応する図柄の告知が行われても、その図柄を有効な入賞ライン上に３個揃えるのは難しかった。このため、遊技に不慣れな遊技者は、メダルを取りこぼしてしまうことが多かった。
【００１１】
（請求項１）
そこで、請求項１記載の発明は、各回転リール毎にＹ個の図柄を表示するように図柄表示窓を形成し、かつ、滑りコマ数の範囲を０以上Ｚ以下として各回転リールの停止制御を行うように形成し、かつ、各回転リールの周囲には同一種類の役図柄を（Ｙ＋Ｚ−１）個おき以内の間隔で付し、かつ、役抽選手段の抽選結果がいずれかの役の当選となったときには当該役に対応した役図柄が図柄表示窓に表示される位置で各回転リールの回転を停止させるように形成し、かつ、各回転リールについての停止表示図柄の中にそれぞれ同一種類の役図柄があると当該役図柄に対応する役に入賞したと判定するように形成することにより、役抽選手段の抽選結果がいずれかの役の当選となれば、その役に対応した入賞を引き当てることができるようにして、遊技に不慣れな遊技者でもメダルを取りこぼさないようにしたスロットマシンを提供することを目的とする。
【００１２】
（請求項２）
また、請求項２記載の発明は、請求項１記載の発明の目的に加え、第１から第３までの３個の回転リールを備え、かつ、各回転リールの周囲に付されている複数個の図柄のうちの３個を表示するように図柄表示窓を形成し、かつ、第１から第２７までの２７本の入賞ラインを設定し、かつ、第１から第２７までのいずれかの入賞ライン上に同一種類の役図柄が３個揃うと当該役図柄に対応する役に入賞したと判定するように形成することにより、各回転リールについての停止表示図柄の中にそれぞれ同一種類の役図柄があると当該役図柄に対応した役の入賞となるようにしたスロットマシンを提供することを目的とする。
【００１３】
（請求項３）
また、請求項３記載の発明は、請求項２記載の発明の目的に加え、メダルの投入枚数が最大に満たないときには、第１から第２７までの２７本の入賞ラインのうちの２６本以下の入賞ラインに基づいて入賞判定を行うことにより、遊技が単調にならないようにしたスロットマシンを提供することを目的とする。
【００１４】
（請求項４）
また、請求項４記載の発明は、請求項２又は３記載の発明の目的に加え、所定の条件が達成されたときには、第１から第２７までの２７本の入賞ラインのうちの２６本以下の入賞ラインに基づいて入賞判定を行うことにより、遊技が単調にならないようにしたスロットマシンを提供することを目的とする。
【００１５】
（請求項５）
更に、請求項５記載の発明は、請求項２、３又は４記載の発明の目的に加え、特別遊技中は、第１から第２７までの２７本の入賞ラインのうちの２６本以下の入賞ラインに基づいて入賞判定を行うことにより、遊技が単調にならないようにしたスロットマシンを提供することを目的とする。
【００１６】
【課題を解決するための手段】
（請求項１）
請求項１記載の発明は、スロットマシン（１０）に係るものであって、周囲に複数個の図柄が付されている第１から第ＸまでのＸ個の回転リール（４０）と、各回転リール（４０）の前方に設けられており且つ各回転リール（４０）の周囲に付されている複数個の図柄のうちのＹ個を表示するための図柄表示窓（７２）と、各回転リール（４０）の回転を開始させるためのスタートスイッチ（５０）と、各回転リール（４０）の回転を停止させるためのものであり且つ各回転リール（４０）にそれぞれ対応して設けられているストップスイッチ（６０）と、スロットマシン（１０）を制御するための制御装置（２０）とを備え、制御装置（２０）は、遊技を制御するための遊技制御手段（１００）と、複数の役のいずれかに当選したか又はハズレかの抽選を行うための役抽選手段（１１０）と、役抽選手段（１１０）の抽選結果と各ストップスイッチ（６０）が操作されたときの対応する回転リール（４０）の回転位置とに基づいて各回転リール（４０）の停止制御を行うための停止制御手段（１３０）と、すべての回転リール（４０）の回転が停止した際に図柄表示窓（７２）に表示される図柄の配列に基づいて複数の役のいずれかに入賞したか又は入賞なしかの判定を行うための入賞判定手段（１４０）とを備え、Ｙ個の図柄が図柄表示窓（７２）に対して適正な位置に表示されるときの各回転リール（４０）の停止位置を適正停止位置とし、ある回転リール（４０）の回転がいずれかの適正停止位置で停止した際に図柄表示窓（７２）に表示されるＹ個の図柄を停止表示図柄とし、ストップスイッチ（６０）の操作から対応する回転リール（４０）の回転がいずれかの適正停止位置で停止するまでの間に通過する適正停止位置の数を滑りコマ数としたときに、停止制御手段（１３０）は、滑りコマ数の範囲を０以上Ｚ以下として、各回転リール（４０）の停止制御を行うように形成され、各回転リール（４０）の周囲に付されている図柄には、少なくとも、複数の役のいずれかに対応した図柄である役図柄があり、各回転リール（４０）の周囲には、同一種類の役図柄が（Ｙ＋Ｚ−１）個おき以内の間隔で付され、停止制御手段（１３０）は、役抽選手段（１１０）の抽選結果がいずれかの役の当選となったときには、当該役に対応した役図柄が図柄表示窓（７２）に表示されることとなるいずれかの適正停止位置で、各回転リール（４０）の回転を停止させるように形成され、入賞判定手段（１４０）は、第１から第Ｘまでの各回転リール（４０）についての停止表示図柄の中にそれぞれ同一種類の役図柄があると、当該役図柄に対応する役に入賞したと判定するように形成されていることを特徴とする。
【００１７】
ここで、「回転リール（４０）」は、第１から第Ｘまで備えられる。また、「Ｘ」は、例えば、「３」とすることができ、また、「４」とすることもできる。すなわち、「回転リール（４０）の個数」は、例えば、「３個」とすることができ、また、「４個」とすることもできる。
また、各回転リール（４０）の周囲には、複数個の図柄が付される。また、「各回転リール（４０）の周囲に付する図柄の個数」は、例えば、「２１」個とすることができる。
【００１８】
また、「図柄表示窓（７２）」は、各回転リール（４０）の周囲に付されている複数個の図柄のうちのＹ個を表示するように形成される。また、「Ｙ」は、例えば、「２」とすることができ、また、「３」とすることもでき、また、「４」とすることもできる。すなわち、「図柄表示窓（７２）に表示される各回転リール（４０）毎の図柄の個数」は、例えば、「２個」とすることができ、また、「３個」とすることもでき、また、「４個」とすることもできる。
【００１９】
また、「遊技制御手段（１００）」は、遊技を制御するためのものである。
また、「役抽選手段（１１０）」は、複数の役のいずれかに当選したか、又はハズレかの抽選を行うためのものである。
また、「停止制御手段（１３０）」は、役抽選手段（１１０）の抽選結果と、各ストップスイッチ（６０）が操作されたときの対応する回転リール（４０）の回転位置とに基づいて、各回転リール（４０）の停止制御を行うためのものである。
【００２０】
また、「入賞判定手段（１４０）」は、すべての回転リール（４０）の回転が停止した際に図柄表示窓（７２）に表示される図柄の配列に基づいて、複数の役のいずれかに入賞したか又は入賞なしかの判定を行うためのものである。
すなわち、Ｘ個の各回転リール（４０）の前方には、各回転リール（４０）の周囲に付されている複数個の図柄のうちのＹ個を表示するための図柄表示窓（７２）が設けられる。また、すべての回転リール（４０）の回転が停止すると、図柄表示窓（７２）には、縦Ｘ列横Ｙ行に配列した合計（Ｘ×Ｙ）個の図柄が表示される。また、図柄表示窓（７２）に表示される縦Ｘ列横Ｙ行の図柄の配列は、「出目」などと呼ばれる。そして、入賞判定手段（１４０）は、この「出目」に基づいて、複数の役のいずれかに入賞したか又は入賞なしかの判定を行うのである。
【００２１】
また、「適正停止位置」とは、Ｙ個の図柄が図柄表示窓（７２）に対して適正な位置に表示されるときの各回転リール（４０）の停止位置をいう。
すなわち、各回転リール（４０）が「適正停止位置」で停止すると、Ｙ個の図柄が図柄表示窓（７２）に対して適正な位置に表示されることとなる。
例えば、図柄表示窓（７２）が、各回転リール（４０）毎に３個の図柄を表示するように形成されているとする。このような場合、図柄表示窓（７２）に３個の図柄が正しく表示されるときの各回転リール（４０）の停止位置が、「適正停止位置」となる。また、例えば、上半分が欠けた図柄１個と、全体が現れている図柄２個と、下半分が欠けた図柄１個とが図柄表示窓（７２）に表示されるようなときの各回転リール（４０）の停止位置は、「適正停止位置」ではない。
【００２２】
また、「停止表示図柄」とは、ある回転リール（４０）の回転がいずれかの適正停止位置で停止した際に図柄表示窓（７２）に表示されるＹ個の図柄をいう。すなわち、第１回転リール（４１）の回転がいずれかの適正停止位置で停止した際に図柄表示窓（７２）に表示されるＹ個の図柄が「停止表示図柄」であり、また、第２回転リール（４２）の回転がいずれかの適正停止位置で停止した際に図柄表示窓（７２）に表示されるＹ個の図柄も「停止表示図柄」であり、また、第３回転リール（４３）の回転がいずれかの適正停止位置で停止した際に図柄表示窓（７２）に表示されるＹ個の図柄も「停止表示図柄」である。
【００２３】
また、「滑りコマ数」とは、ストップスイッチ（６０）の操作から対応する回転リール（４０）の回転がいずれかの適正停止位置で停止するまでの間に通過する適正停止位置の数をいう。
例えば、ストップスイッチ（６０）の操作後における最初の適正停止位置で対応する回転リール（４０）の回転が停止すると、ストップスイッチ（６０）の操作から対応する回転リール（４０）の回転が停止するまでの間に通過した適正停止位置の数は「０」となることから、滑りコマ数は「０」となる。
【００２４】
また、例えば、ストップスイッチ（６０）の操作後における最初の適正停止位置を通過し、その次の適正停止位置で対応する回転リール（４０）の回転が停止すると、ストップスイッチ（６０）の操作から対応する回転リール（４０）の回転が停止するまでの間に通過した適正停止位置の数は「１」となることから、滑りコマ数は「１」となる。
【００２５】
また、本発明では、停止制御手段（１３０）は、滑りコマ数の範囲を０以上Ｚ以下として、各回転リール（４０）の停止制御を行うように形成されている。また、「Ｚ」は、例えば、「３」とすることができ、また、「４」とすることもできる。すなわち、「滑りコマ数の範囲」は、例えば、「０以上３以下」とすることができ、また、「０以上４以下」とすることもできる。
【００２６】
また、「滑りコマ数」は、例えば、停止テーブル（１２０）と、ストップスイッチ（６０）が操作されたときの対応する回転リール（４０）の回転位置とに基づいて決定することができる。また、停止テーブル（１２０）とは、ストップスイッチ（６０）が操作されたときの対応する回転リール（４０）の回転位置に応じて、各回転リール（４０）の滑りコマ数をあらかじめ定めたものである。
【００２７】
そして、例えば、滑りコマ数が「０」と決定されると、停止制御手段（１３０）は、ストップスイッチ（６０）の操作後における最初の適正停止位置で、対応する回転リール（４０）の回転を停止させる。
また、例えば、滑りコマ数が「１」と決定されると、停止制御手段（１３０）は、ストップスイッチ（６０）の操作後における最初の適正停止位置を通過させ、その次の適正停止位置で、対応する回転リール（４０）の回転を停止させる。
【００２８】
また、「役図柄」とは、複数の役のいずれかに対応した図柄をいう。また、「役図柄」としては、例えば、特別遊技入賞（ボーナス入賞）に対応した「７」の図柄や、小役入賞に対応した「ベル」の図柄や、再遊技入賞（Ｒｅｐｌａｙ入賞）に対応した「プラム」の図柄などを設定することができる。
また、本発明では、各回転リール（４０）の周囲には、同一種類の役図柄が（Ｙ＋Ｚ−１）個おき以内の間隔で付されている。
【００２９】
例えば、図柄表示窓（７２）が、各回転リール（４０）毎に「３個」の図柄を表示するように形成され、かつ、停止制御手段（１３０）が、滑りコマ数の範囲を「０以上４以下」として各回転リール（４０）の停止制御を行うように形成されている場合にあっては、各回転リール（４０）の周囲には、同一種類の役図柄が「６個」おき以内の間隔で付される。
【００３０】
また、「（Ｙ＋Ｚ−１）個おき」とは、一の役図柄と、その次の同一種類の役図柄との間に、他の種類の図柄が（Ｙ＋Ｚ−１）個あることを意味する。例えば、「７」の図柄が「６個おき」に付されているとは、一の「７」の図柄と、その次の「７」の図柄との間に、「７」以外の図柄が６個あることを意味する。
また、同一種類の役図柄の間隔は、「（Ｙ＋Ｚ−１）個おき以内」であればよく、したがって、例えば、「（Ｙ＋Ｚ−２）個おき」としてもよく、また、「（Ｙ＋Ｚ−３）個おき」としてもよい。
【００３１】
また、例えば、一の回転リール（４０）では、同一種類の役図柄の間隔を「（Ｙ＋Ｚ−１）個おき」とし、他の回転リール（４０）では、同一種類の役図柄の間隔を「（Ｙ＋Ｚ−２）個おき」としてもよい。
また、例えば、一の回転リール（４０）において、同一種類の役図柄の間隔が「（Ｙ＋Ｚ−１）個おき」のところと「（Ｙ＋Ｚ−２）個おき」のところとを混在させてもよい。
【００３２】
また、本発明では、停止制御手段（１３０）は、役抽選手段（１１０）の抽選結果がいずれかの役の当選となったときには、当該役に対応した役図柄が図柄表示窓（７２）に表示されることとなるいずれかの適正停止位置で、各回転リール（４０）の回転を停止させるように形成されている。
また、このような制御は、図柄表示窓（７２）が各回転リール（４０）毎にＹ個の図柄を表示するように形成され、かつ、停止制御手段（１３０）が滑りコマ数の範囲を０以上Ｚ以下として各回転リール（４０）の停止制御を行うように形成され、かつ、各回転リール（４０）の周囲には同一種類の役図柄が（Ｙ＋Ｚ−１）個おき以内の間隔で付されていることから、実施可能である。
【００３３】
例えば、役抽選手段（１１０）の抽選結果が特別遊技当選（ボーナス当選）となったときには、第１回転リール（４１）は、「７」の図柄が図柄表示窓（７２）に表示されることとなるいずれかの適正停止位置で停止し、また、第２回転リール（４２）も、「７」の図柄が図柄表示窓（７２）に表示されることとなるいずれかの適正停止位置で停止し、また、第３回転リール（４３）も、「７」の図柄が図柄表示窓（７２）に表示されることとなるいずれかの適正停止位置で停止する。これにより、第１回転リール（４１）についての停止表示図柄の中にも、第２回転リール（４２）についての停止表示図柄の中にも、第３回転リール（４３）についての停止表示図柄の中にも、それぞれ「７」の図柄が含まれることとなる。
【００３４】
すなわち、本発明では、役抽選手段（１１０）の抽選結果がいずれかの役の当選となったときには、各回転リール（４０）についての停止表示図柄の中にそれぞれ当該役に対応した役図柄が含まれることとなるように、各回転リール（４０）の停止制御が行われるのである。
そして、本発明では、入賞判定手段（１４０）は、第１から第Ｘまでの各回転リール（４０）についての停止表示図柄の中にそれぞれ同一種類の役図柄があると、当該役図柄に対応する役に入賞したと判定するように形成されている。
【００３５】
例えば、第１回転リール（４１）についての停止表示図柄の中に「７」の図柄があり、また、第２回転リール（４２）についての停止表示図柄の中にも「７」の図柄があり、また、第３回転リール（４３）についての停止表示図柄の中にも「７」の図柄があると、本発明では、入賞判定手段（１４０）は、「７」の図柄が一直線上に並んでいなくても、ボーナス入賞と判定する。各回転リール（４０）についての停止表示図柄の中にそれぞれ小役入賞に対応した「ベル」の図柄がある場合や、Ｒｅｐｌａｙ入賞に対応した「プラム」の図柄がある場合についても同様である。ただ、各回転リール（４０）についての停止表示図柄の中にそれぞれ「ハズレ図柄」があっても、「ハズレ図柄」は役に対応した図柄ではないので、入賞とはならない。
【００３６】
また、一般遊技中であることや、メダルの投入枚数が最大であることなどを条件に、各回転リール（４０）についての停止表示図柄の中にそれぞれ同一種類の役図柄があると、当該役図柄に対応する役に入賞したと判定するように、入賞判定手段（１４０）を形成することもできる。
すなわち、入賞判定手段（１４０）は、一般遊技中において、メダルの投入枚数が最大のときに、第１から第Ｘまでの各回転リール（４０）についての停止表示図柄の中にそれぞれ同一種類の役図柄があると、当該役図柄に対応する役に入賞したと判定するように形成することもできる。
【００３７】
このように、本発明に係るスロットマシン（１０）では、図柄表示窓（７２）は、各回転リール（４０）毎にＹ個の図柄を表示するように形成されている。また、停止制御手段（１３０）は、滑りコマ数の範囲を０以上Ｚ以下として、各回転リール（４０）の停止制御を行うように形成されている。また、各回転リール（４０）の周囲には、同一種類の役図柄が（Ｙ＋Ｚ−１）個おき以内の間隔で付されている。更に、停止制御手段（１３０）は、役抽選手段（１１０）の抽選結果がいずれかの役の当選となったときには、当該役に対応した役図柄が図柄表示窓（７２）に表示されることとなるいずれかの適正停止位置で、各回転リール（４０）の回転を停止させるように形成されている。そして、入賞判定手段（１４０）は、各回転リール（４０）についての停止表示図柄の中にそれぞれ同一種類の役図柄があると、当該役図柄に対応する役に入賞したと判定するように形成されている。このため、本発明に係るスロットマシン（１０）では、役抽選手段（１１０）の抽選結果がいずれかの役の当選となると、その役に対応した入賞を引き当てることができる。したがって、遊技に不慣れな遊技者でも、メダルを取りこぼさないのである。
【００３８】
（請求項２）
請求項２記載の発明は、請求項１記載のスロットマシン（１０）を限定したものであって、回転リール（４０）は、第１から第３まで備えられ、図柄表示窓（７２）は、各回転リール（４０）の周囲に付されている複数個の図柄のうちの３個を表示するように形成され、第１回転リール（４１）の回転が停止した際に図柄表示窓（７２）に表示される３個の図柄をそれぞれ第１回転リール上図柄（２０１）、第１回転リール中図柄（２０２）、第１回転リール下図柄（２０３）とし、第２回転リール（４２）の回転が停止した際に図柄表示窓（７２）に表示される３個の図柄をそれぞれ第２回転リール上図柄（２０４）、第２回転リール中図柄（２０５）、第２回転リール下図柄（２０６）とし、第３回転リール（４３）の回転が停止した際に図柄表示窓（７２）に表示される３個の図柄をそれぞれ第３回転リール上図柄（２０７）、第３回転リール中図柄（２０８）、第３回転リール下図柄（２０９）とし、第１回転リール中図柄（２０２）、第２回転リール中図柄（２０５）、及び第３回転リール中図柄（２０８）を通る第１入賞ライン（３０１）と、第１回転リール上図柄（２０１）、第２回転リール上図柄（２０４）、及び第３回転リール上図柄（２０７）を通る第２入賞ライン（３０２）と、第１回転リール下図柄（２０３）、第２回転リール下図柄（２０６）、及び第３回転リール下図柄（２０９）を通る第３入賞ライン（３０３）と、第１回転リール上図柄（２０１）、第２回転リール上図柄（２０４）、及び第３回転リール中図柄（２０８）を通る第４入賞ライン（３０４）と、第１回転リール上図柄（２０１）、第２回転リール上図柄（２０４）、及び第３回転リール下図柄（２０９）を通る第５入賞ライン（３０５）と、第１回転リール上図柄（２０１）、第２回転リール中図柄（２０５）、及び第３回転リール上図柄（２０７）を通る第６入賞ライン（３０６）と、第１回転リール上図柄（２０１）、第２回転リール中図柄（２０５）、及び第３回転リール中図柄（２０８）を通る第７入賞ライン（３０７）と、第１回転リール上図柄（２０１）、第２回転リール中図柄（２０５）、及び第３回転リール下図柄（２０９）を通る第８入賞ライン（３０８）と、第１回転リール上図柄（２０１）、第２回転リール下図柄（２０６）、及び第３回転リール上図柄（２０７）を通る第９入賞ライン（３０９）と、第１回転リール上図柄（２０１）、第２回転リール下図柄（２０６）、及び第３回転リール中図柄（２０８）を通る第１０入賞ライン（３１０）と、第１回転リール上図柄（２０１）、第２回転リール下図柄（２０６）、及び第３回転リール下図柄（２０９）を通る第１１入賞ライン（３１１）と、第１回転リール中図柄（２０２）、第２回転リール上図柄（２０４）、及び第３回転リール上図柄（２０７）を通る第１２入賞ライン（３１２）と、第１回転リール中図柄（２０２）、第２回転リール上図柄（２０４）、及び第３回転リール中図柄（２０８）を通る第１３入賞ライン（３１３）と、第１回転リール中図柄（２０２）、第２回転リール上図柄（２０４）、及び第３回転リール下図柄（２０９）を通る第１４入賞ライン（３１４）と、第１回転リール中図柄（２０２）、第２回転リール中図柄（２０５）、及び第３回転リール上図柄（２０７）を通る第１５入賞ライン（３１５）と、第１回転リール中図柄（２０２）、第２回転リール中図柄（２０５）、及び第３回転リール下図柄（２０９）を通る第１６入賞ライン（３１６）と、第１回転リール中図柄（２０２）、第２回転リール下図柄（２０６）、及び第３回転リール上図柄（２０７）を通る第１７入賞ライン（３１７）と、第１回転リール中図柄（２０２）、第２回転リール下図柄（２０６）、及び第３回転リール中図柄（２０８）を通る第１８入賞ライン（３１８）と、第１回転リール中図柄（２０２）、第２回転リール下図柄（２０６）、及び第３回転リール下図柄（２０９）を通る第１９入賞ライン（３１９）と、第１回転リール下図柄（２０３）、第２回転リール上図柄（２０４）、及び第３回転リール上図柄（２０７）を通る第２０入賞ライン（３２０）と、第１回転リール下図柄（２０３）、第２回転リール上図柄（２０４）、及び第３回転リール中図柄（２０８）を通る第２１入賞ライン（３２１）と、第１回転リール下図柄（２０３）、第２回転リール上図柄（２０４）、及び第３回転リール下図柄（２０９）を通る第２２入賞ライン（３２２）と、第１回転リール下図柄（２０３）、第２回転リール中図柄（２０５）、及び第３回転リール上図柄（２０７）を通る第２３入賞ライン（３２３）と、第１回転リール下図柄（２０３）、第２回転リール中図柄（２０５）、及び第３回転リール中図柄（２０８）を通る第２４入賞ライン（３２４）と、第１回転リール下図柄（２０３）、第２回転リール中図柄（２０５）、及び第３回転リール下図柄（２０９）を通る第２５入賞ライン（３２５）と、第１回転リール下図柄（２０３）、第２回転リール下図柄（２０６）、及び第３回転リール上図柄（２０７）を通る第２６入賞ライン（３２６）と、第１回転リール下図柄（２０３）、第２回転リール下図柄（２０６）、及び第３回転リール中図柄（２０８）を通る第２７入賞ライン（３２７）と、を設定し、入賞判定手段（１４０）は、第１から第２７までのいずれかの入賞ライン（３００）上に同一種類の役図柄が３個揃うと、当該役図柄に対応する役に入賞したと判定するように形成されていることを特徴とする。
【００３９】
本発明では、第１から第３までの３個の回転リール（４０）が備えられ、また、図柄表示窓（７２）は、各回転リール（４０）毎に３個の図柄を表示するように形成されている。これにより、すべての回転リール（４０）の回転が停止した際には、図柄表示窓（７２）には、縦３列横３行に配列した合計９個の図柄が表示されるようにしている。
【００４０】
更に、本発明では、第１から第２７までの２７本の入賞ライン（３００）が設定され、そして、入賞判定手段（１４０）は、第１から第２７までのいずれかの入賞ライン（３００）上に同一種類の役図柄が３個揃うと、当該役図柄に対応する役に入賞したと判定するように形成されている。これにより、第１から第３までの各回転リール（４０）についての停止表示図柄の中にそれぞれ同一種類の役図柄があると、当該役図柄に対応した役の入賞となるようにしているのである。
【００４１】
（請求項３）
請求項３記載の発明は、請求項２記載のスロットマシン（１０）を限定したものであって、入賞判定手段（１４０）は、メダルの投入枚数が最大に満たないときには、第１から第２７までの２７本の入賞ライン（３００）のうちの２６本以下の入賞ライン（３００）に基づいて、入賞判定を行うように形成されていることを特徴とする。
【００４２】
ここで、「メダルの投入枚数」は、例えば、３枚までとすることができる。
そして、入賞判定手段（１４０）は、例えば、メダルの投入枚数が１枚のときには、第１入賞ライン（３０１）のみに基づいて入賞判定を行い、また、メダルの投入枚数が２枚のときには、第１から第９までの９本の入賞ライン（３００）に基づいて入賞判定を行い、また、メダルの投入枚数が３枚のときには、第１から第２７までの２７本すべての入賞ライン（３００）に基づいて入賞判定を行うように形成することができる。そうすると、メダルの投入枚数が１枚のときには、第１から第３までの各回転リール（４０）についての停止表示図柄の中にそれぞれ同一種類の役図柄があっても、これらの役図柄が第１入賞ライン（３０１）上に揃っていないと、当該役図柄に対応した役の入賞とはならない。また、メダルの投入枚数が２枚のときには、第１から第３までの各回転リール（４０）についての停止表示図柄の中にそれぞれ同一種類の役図柄があっても、これらの役図柄が第１から第９までのいずれかの入賞ライン（３００）上に揃っていないと、当該役図柄に対応した役の入賞とはならない。これにより、メダルの投入枚数が最大に満たないときには、遊技者の技術が要求されるので、遊技が単調にならないのである。
【００４３】
（請求項４）
請求項４記載の発明は、請求項２又は３記載のスロットマシン（１０）を限定したものであって、入賞判定手段（１４０）は、所定の条件が達成されたときには、第１から第２７までの２７本の入賞ライン（３００）のうちの２６本以下の入賞ライン（３００）に基づいて、入賞判定を行うように形成されていることを特徴とする。
【００４４】
ここで、「所定の条件が達成されたとき」としては、例えば、役抽選とは別の抽選の結果が入賞ライン３００の本数を制限する旨となったときや、特定時からの遊技の回数が所定の回数に達したときや、特定時からのメダルの払い出し枚数が所定の枚数に達したときなどを定めることができる。
そして、所定の条件が達成されたときに、第１から第２７までの２７本の入賞ライン（３００）のうちの２６本以下の入賞ライン（３００）に基づいて入賞判定を行うことにより、遊技が単調にならないようにすることができるのである。
【００４５】
（請求項５）
請求項５記載の発明は、請求項２ないし４記載のスロットマシン（１０）を限定したものであって、遊技制御手段（１００）は、遊技として、一般的な遊技である一般遊技と、遊技者にとって一般遊技よりも有利な遊技である特別遊技とを実行可能に形成され、入賞判定手段（１４０）は、特別遊技中は、第１から第２７までの２７本の入賞ライン（３００）のうちの２６本以下の入賞ライン（３００）に基づいて、入賞判定を行うように形成されていることを特徴とする。
【００４６】
ここで、「一般遊技」とは、スロットマシン（１０）における一般的な遊技をいい、また、「特別遊技」とは、ボーナスゲームなどとも呼ばれるものであって、遊技者にとって一般遊技よりも有利な遊技をいう。
そして、入賞判定手段（１４０）は、例えば、一般遊技中は、第１から第２７までの２７本すべての入賞ライン（３００）に基づいて入賞判定を行い、また、ボーナスゲーム中は、第１入賞ライン（３０１）のみに基づいて入賞判定を行うように形成することができる。そうすると、一般遊技中は、第１から第３までの各回転リール（４０）についての停止表示図柄の中にそれぞれ同一種類の役図柄があれば、当該役図柄に対応した役の入賞となるものの、ボーナスゲーム中は、第１から第３までの各回転リール（４０）についての停止表示図柄の中にそれぞれ同一種類の役図柄があっても、これらの役図柄が第１入賞ライン（３０１）上に揃っていないと、入賞とはならない。これにより、特別遊技中は、遊技者の技術が要求されるので、遊技が単調にならないのである。
【００４７】
【発明の実施の形態】
（図面の説明）
図１ないし図１４は、本発明の実施の形態を示すものである。
図１は、スロットマシン１０のブロック図、図２は、スロットマシン１０の外観正面図、図３は、各回転リール４０の図柄配列を示す概念図、図４及び図５は、図柄表示窓７２及び出目を示す概念図、図６ないし図１０は、入賞ライン３００を示す概念図、図１１ないし図１４は、入賞判定テーブルを示す概念図である。
【００４８】
（スロットマシン１０）
図２に示すように、本実施の形態に係るスロットマシン１０は、前面に開口部を有する箱型の筐体７０を備えている。また、筐体７０の前面には、開口部を塞ぐ前扉７１を備えている。また、筐体７０の内部には、３個の回転リール４０を横並びに設けたリールユニット３０を備えている。また、３個の回転リール４０のうち、左側に設けられているのが第１回転リール４１であり、また、中央に設けられているのが第２回転リール４２であり、また、右側に設けられているのが第３回転リール４３である。また、各回転リール４０の周囲には、複数種類の図柄が所定の配列で合計２１個付されている。また、前扉７１のほぼ中央には、各回転リール４０の周囲に付されている２１個の図柄のうちの３個を表示するための図柄表示窓７２が設けられている。
【００４９】
また、図柄表示窓７２は、各回転リール４０の前方に設けられており、３個すべての回転リール４０の回転が停止した際には、図５に示すように、縦３列横３行に配列した合計９個の図柄を表示可能に形成されている。
具体的には、第１回転リール４１の周囲には合計２１個の図柄が付されているが、第１回転リール４１の回転が停止した際には、２１個の図柄のうちの３個が図柄表示窓７２に表示される。すなわち、第１回転リール４１の回転が停止すると、図柄表示窓７２の左側部分には、３個の図柄が縦並びに表示される。第２回転リール４２及び第３回転リール４３についても同様である。これにより、３個すべての回転リール４０の回転が停止すると、図柄表示窓７２には、縦３列横３行に配列した合計９個の図柄が表示される。また、図柄表示窓７２に表示される縦３列横３行の図柄の配列は、「出目」などと呼ばれる。
【００５０】
また、本実施の形態では、３個の図柄が図柄表示窓７２に対して適正な位置に表示されるときの各回転リール４０の停止位置を、「適正停止位置」という。
例えば、図４に示すように、３個の図柄が図柄表示窓７２に対して適正な位置に表示されるときの各回転リール４０の停止位置が、「適正停止位置」である。すなわち、各回転リール４０が「適正停止位置」で停止すると、図柄表示窓７２には各回転リール４０毎に３個の図柄が正しく表示されることとなる。
【００５１】
また、例えば、図５に示すように、上半分が欠けた図柄１個と、全体が現れている図柄２個と、下半分が欠けた図柄１個とが図柄表示窓４０に表示されるようなときの第１回転リール４１の停止位置は、「適正停止位置」ではない。
また、本実施の形態では、ある回転リール４０の回転がいずれかの適正停止位置で停止した際に図柄表示窓７２に表示される３個の図柄を、「停止表示図柄」という。
【００５２】
例えば、図４に示すように、第１回転リール４１の回転がいずれかの適正停止位置で停止した際に図柄表示窓７２に表示される３個の図柄が「停止表示図柄」であり、また、第２回転リール４２の回転がいずれかの適正停止位置で停止した際に図柄表示窓７２に表示される３個の図柄も「停止表示図柄」であり、また、第３回転リール４３の回転がいずれかの適正停止位置で停止した際に図柄表示窓７２に表示される３個の図柄も「停止表示図柄」である。
【００５３】
また、本実施の形態では、図４に示すように、第１回転リール４１の回転が停止した際に図柄表示窓７２に表示される３個の図柄をそれぞれ「第１回転リール上図柄２０１」「第１回転リール中図柄２０２」「第１回転リール下図柄２０３」とし、また、第２回転リール４２の回転が停止した際に図柄表示窓７２に表示される３個の図柄をそれぞれ「第２回転リール上図柄２０４」「第２回転リール中図柄２０５」「第２回転リール下図柄２０６」とし、また、第３回転リール４３の回転が停止した際に図柄表示窓７２に表示される３個の図柄をそれぞれ「第３回転リール上図柄２０７」「第３回転リール中図柄２０８」「第３回転リール下図柄２０９」としている。
【００５４】
また、本実施の形態では、図６ないし図１０に示すように、第１から第２７までの２７本の入賞ライン３００を設けている。
第１回転リール中図柄２０２と第２回転リール中図柄２０５と第３回転リール中図柄２０８とを通るのが「第１入賞ライン３０１」である（図６（１））。
また、第１回転リール上図柄２０１と第２回転リール上図柄２０４と第３回転リール上図柄２０７とを通るのが「第２入賞ライン３０２」である（図６（２））。
【００５５】
また、第１回転リール下図柄２０３と第２回転リール下図柄２０６と第３回転リール下図柄２０９とを通るのが「第３入賞ライン３０３」である（図６（３））。
また、第１回転リール上図柄２０１と第２回転リール上図柄２０４と第３回転リール中図柄２０８とを通るのが「第４入賞ライン３０４」である（図６（４））。
また、第１回転リール上図柄２０１と第２回転リール上図柄２０４と第３回転リール下図柄２０９とを通るのが「第５入賞ライン３０５」である（図６（５））。
【００５６】
また、第１回転リール上図柄２０１と第２回転リール中図柄２０５と第３回転リール上図柄２０７とを通るのが「第６入賞ライン３０６」である（図６（６））。
また、第１回転リール上図柄２０１と第２回転リール中図柄２０５と第３回転リール中図柄２０８とを通るのが「第７入賞ライン３０７」である（図７（７））。
また、第１回転リール上図柄２０１と第２回転リール中図柄２０５と第３回転リール下図柄２０９とを通るのが「第８入賞ライン３０８」である（図７（８））。
【００５７】
また、第１回転リール上図柄２０１と第２回転リール下図柄２０６と第３回転リール上図柄２０７とを通るのが「第９入賞ライン３０９」である（図７（９））。
また、第１回転リール上図柄２０１と第２回転リール下図柄２０６と第３回転リール中図柄２０８とを通るのが「第１０入賞ライン３１０」である（図７（１０））。
また、第１回転リール上図柄２０１と第２回転リール下図柄２０６と第３回転リール下図柄２０９とを通るのが「第１１入賞ライン３１１」である（図７（１１））。
【００５８】
また、第１回転リール中図柄２０２と第２回転リール上図柄２０４と第３回転リール上図柄２０７とを通るのが「第１２入賞ライン３１２」である（図７（１２））。
また、第１回転リール中図柄２０２と第２回転リール上図柄２０４と第３回転リール中図柄２０８とを通るのが「第１３入賞ライン３１３」である（図８（１３））。
また、第１回転リール中図柄２０２と第２回転リール上図柄２０４と第３回転リール下図柄２０９とを通るのが「第１４入賞ライン３１４」である（図８（１４））。
【００５９】
また、第１回転リール中図柄２０２と第２回転リール中図柄２０５と第３回転リール上図柄２０７とを通るのが「第１５入賞ライン３１５」である（図８（１５））。
また、第１回転リール中図柄２０２と第２回転リール中図柄２０５と第３回転リール下図柄２０９とを通るのが「第１６入賞ライン３１６」である（図８（１６））。
また、第１回転リール中図柄２０２と第２回転リール下図柄２０６と第３回転リール上図柄２０７とを通るのが「第１７入賞ライン３１７」である（図８（１７））。
【００６０】
また、第１回転リール中図柄２０２と第２回転リール下図柄２０６と第３回転リール中図柄２０８とを通るのが「第１８入賞ライン３１８」である（図８（１８））。
また、第１回転リール中図柄２０２と第２回転リール下図柄２０６と第３回転リール下図柄２０９とを通るのが「第１９入賞ライン３１９」である（図９（１９））。
また、第１回転リール下図柄２０３と第２回転リール上図柄２０４と第３回転リール上図柄２０７とを通るのが「第２０入賞ライン３２０」である（図９（２０））。
【００６１】
また、第１回転リール下図柄２０３と第２回転リール上図柄２０４と第３回転リール中図柄２０８とを通るのが「第２１入賞ライン３２１」である（図９（２１））。
また、第１回転リール下図柄２０３と第２回転リール上図柄２０４と第３回転リール下図柄２０９とを通るのが「第２２入賞ライン３２２」である（図９（２２））。
また、第１回転リール下図柄２０３と第２回転リール中図柄２０５と第３回転リール上図柄２０７とを通るのが「第２３入賞ライン３２３」である（図９（２３））。
【００６２】
また、第１回転リール下図柄２０３と第２回転リール中図柄２０５と第３回転リール中図柄２０８とを通るのが「第２４入賞ライン３２４」である（図９（２４））。
また、第１回転リール下図柄２０３と第２回転リール中図柄２０５と第３回転リール下図柄２０９とを通るのが「第２５入賞ライン３２５」である（図１０（２５））。
また、第１回転リール下図柄２０３と第２回転リール下図柄２０６と第３回転リール上図柄２０７とを通るのが「第２６入賞ライン３２６」である（図１０（２６））。
【００６３】
また、第１回転リール下図柄２０３と第２回転リール下図柄２０６と第３回転リール中図柄２０８とを通るのが「第２７入賞ライン３２７」である（図１０（２７））。
また、図柄表示窓７２の下方には、クレジットメダルを投入するためのベットスイッチ７４や、クレジットメダルを払い出すための精算スイッチ７５や、各回転リール４０の回転を開始させるためのスタートスイッチ５０や、各回転リール４０の回転を停止させるためのストップスイッチ６０などが設けられている。
【００６４】
また、図柄表示窓７２の右方には、液晶ディスプレイ７９が設けられている。
また、前扉７１の上部には、演出用ランプ７７が設けられている。
また、前扉７１の下部には、メダルを払い出すための払出口８０が設けられ、また、払出口８０の下方には、払出口８０から払い出されたメダルを受け止めて貯留するための受け皿９０が設けられている。
【００６５】
また、筐体７０の内部には、スロットマシン１０を制御するための制御装置２０や、メダルを払い出すためのホッパーユニット７６などが備えられている。
（制御装置２０）
制御装置２０は、スロットマシン１０を制御するためのものである。
この制御装置２０は、ＣＰＵ、ＲＡＭ、ＲＯＭ、及びＩ／Ｏなどを備えている。
【００６６】
また、この制御装置２０の入力手段としては、図１に示すように、投入スイッチ７３、ベットスイッチ７４、精算スイッチ７５、スタートスイッチ５０、及びストップスイッチ６０などが接続されている。
また、この制御装置２０の出力手段としては、図１に示すように、リールユニット３０、ホッパーユニット７６、演出用ランプ７７、スピーカ７８、及び液晶ディスプレイ７９などが接続されている。
【００６７】
そして、この制御装置２０は、ＣＰＵがＲＯＭに記憶された所定のプログラムを実行することにより、遊技制御手段１００、役抽選手段１１０、停止制御手段１３０、及び入賞判定手段１４０などとして機能する。
（投入スイッチ７３）
投入スイッチ７３は、投入口から投入されたメダルを検知するためのものであって、筐体７０の内部に設けられている。
【００６８】
（ベットスイッチ７４）
ベットスイッチ７４は、クレジットされているメダルの枚数を減じてメダルの投入に代えるためのものであって、図２に示すように、図柄表示窓７２の左斜め下方に設けられている。
（精算スイッチ７５）
精算スイッチ７５は、クレジットされているメダルを払い出すためのものであって、図２に示すように、図柄表示窓７２の左斜め下方に設けられている。
【００６９】
（スタートスイッチ５０）
スタートスイッチ５０は、各回転リール４０の回転を開始させるためのものであって、図２に示すように、図柄表示窓７２の左斜め下方に設けられている。そして、このスタートスイッチ５０を操作すると、３個すべての回転リール４０の回転が開始する。
【００７０】
（ストップスイッチ６０）
ストップスイッチ６０は、各回転リール４０の回転を停止させるためのものであって、各回転リール４０にそれぞれ対応して設けられている。
具体的には、図２に示すように、図柄表示窓７２の下方には、３個のストップスイッチ６０が横並びに設けられている。そして、左側のストップスイッチ６０を操作すると、第１回転リール４１の回転が停止し、中央のストップスイッチ６０を操作すると、第２回転リール４２の回転が停止し、右側のストップスイッチ６０を操作すると、第３回転リール４３の回転が停止する。
【００７１】
（リールユニット３０）
リールユニット３０は、フレームと、このフレームに横並びに固定した３個のステッピングモータと、各ステッピングモータの出力軸に固定した３個の回転リール４０とを備えている。
また、各回転リール４０の周囲には、図３に示すように、「７」「ベル」「プラム」「星」などの複数種類の図柄が所定の配列で合計２１個付されている。
【００７２】
また、本実施の形態では、各回転リール４０の周囲に付されている図柄には、複数の役のいずれかに対応した図柄である「役図柄」と、いずれの役にも対応しない図柄である「ハズレ図柄」とがある。
また、本実施の形態では、「７」の図柄を、特別遊技入賞（ボーナス入賞）に対応した役図柄とし、「ベル」の図柄を、小役入賞に対応した役図柄とし、「プラム」の図柄を、再遊技入賞（Ｒｅｐｌａｙ入賞）に対応した役図柄とし、「星」の図柄を、ハズレ図柄としている。
【００７３】
また、本実施の形態では、各回転リール４０の周囲には、同一種類の役図柄が６個おき以内の間隔で付されている。図３に示すように、第１回転リール４１の周囲には、「７」の図柄も、「ベル」の図柄も、「プラム」の図柄も、それぞれ６個おき以内の間隔で付されている。第２回転リール４２及び第３回転リール４３についても同様である。
【００７４】
（ホッパーユニット７６）
ホッパーユニット７６は、遊技の結果に基づいて遊技者にメダルを払い出すためのものであって、筐体７０の内部に設けられている。
（演出用ランプ７７）
演出用ランプ７７は、遊技者に当選又は入賞などを知らせるためのものであって、図２に示すように、前扉７１の上方に設けられている。
【００７５】
（スピーカ７８）
スピーカ７８は、遊技者に当選又は入賞などを知らせるためのものであって、図２に示すように、前扉７１の下部に設けられている。
（液晶ディスプレイ７９）
液晶ディスプレイ７９は、遊技者に当選又は入賞などを知らせるためのものであって、図２に示すように、図柄表示窓７２の右方に設けられている。
【００７６】
（払出口８０）
払出口８０は、メダルを払い出すためのものであって、前扉７１の下部に設けられている。
（受け皿９０）
受け皿９０は、払出口８０から払い出されたメダルを受け止めて貯留するためのものであって、払出口８０の下方に設けられている。
【００７７】
（遊技制御手段１００）
遊技制御手段１００は、遊技を制御するためのものである。
図１に示すように、この遊技制御手段１００は、一般的な遊技である一般遊技を制御するための一般遊技制御手段１０１と、遊技者にとって一般遊技よりも有利な遊技である特別遊技（ボーナスゲーム）を制御するための特別遊技制御手段１０２とを備えている。
【００７８】
（一般遊技制御手段１０１）
一般遊技制御手段１０１は、一般遊技を制御するためのものである。
以下、本実施の形態における一般遊技について説明する。
メダルを投入すると、メダルの投入枚数に応じた本数の入賞ライン３００が有効になる。具体的には、メダルの投入枚数は３枚までとされ、メダルの投入枚数が１枚のときには、第１入賞ライン３０１のみが有効になり、また、メダルの投入枚数が２枚のときには、第１から第９までの９本の入賞ライン３００が有効になり、また、メダルの投入枚数が３枚のときには、第１から第２７までの２７本すべての入賞ライン３００が有効になる。また、メダルの投入には、投入口からのメダルの投入と、ベットスイッチ７４の操作によるクレジットメダルの投入とがある。また、メダルの投入を条件に、スタートスイッチ５０を操作すると、複数の役のいずれかに当選したか又はハズレかの抽選が行われる。また、この抽選とほぼ同時に、３個すべての回転リール４０の回転が開始する。その後に、３個のストップスイッチ６０のうちの１個を操作すると、当該ストップスイッチ６０に対応した回転リール４０の回転が停止する。そして、３個すべてのストップスイッチ６０の操作を終えると、３個すべての回転リール４０の回転が停止する。このとき、いずれかの有効な入賞ライン３００上に同一種類の役図柄が３個揃うと、当該役図柄に対応した役の入賞となり、入賞態様に応じた枚数のメダルが払い出される。また、メダルの払い出しには、払出口８０からのメダルの払い出しと、クレジットによるメダルの払い出しとがある。また、メダルの払い出しに代えて、あるいはメダルの払い出しとともに、遊技者に対して所定の利益が付与されることもある。
【００７９】
また、抽選結果には、特別遊技当選（ボーナス当選）と、小役当選と、再遊技当選（Ｒｅｐｌａｙ当選）と、ハズレとがある。
また、入賞には、ボーナスゲームへの移行に係る特別遊技入賞（ボーナス入賞）と、所定枚数（例えば１０枚）のメダルの払い出しに係る小役入賞と、再遊技の実行に係る再遊技入賞（Ｒｅｐｌａｙ入賞）とがある。
【００８０】
そして、いずれかの有効な入賞ライン３００上に「７」の図柄が３個揃うと、ボーナス入賞となり、１５枚のメダルが払い出されるとともに、ボーナスゲームが実行される。
また、いずれかの有効な入賞ライン３００上に「ベル」の図柄が３個揃うと、小役入賞となり、１０枚のメダルが払い出される。
【００８１】
また、いずれかの有効な入賞ライン３００上に「プラム」の図柄が３個揃うと、Ｒｅｐｌａｙ入賞となり、新たにメダルを投入することなく、前回の遊技と同じ条件で再度遊技を行うことができる。
また、いずれの有効な入賞ライン３００上にも同一種類の役図柄が３個揃わないと、入賞なしとなる。
【００８２】
なお、いずれかの有効な入賞ライン３００上に「星」の図柄が３個揃っても、「星」の図柄は役図柄ではないので、入賞とはならない。
（特別遊技制御手段１０２）
ボーナスゲームとは、遊技者にとって一般遊技よりも有利な遊技をいう。また、特別遊技制御手段１０２は、ボーナスゲームを制御するためのものである。
【００８３】
以下、本実施の形態におけるボーナスゲームについて説明する。
役抽選手段１１０の抽選結果がボーナス当選になると、このボーナス当選と、ストップスイッチ６０が操作されたときの対応する回転リール４０の回転位置とに基づいて、各回転リール４０の停止制御が行われる。このとき、「７」の図柄がいずれかの有効な入賞ライン３００上に３個揃い得るようになるとともに、「７」以外の役図柄については、いずれの有効な入賞ライン３００上にも３個揃わないようになる。そして、３個すべての回転リール４０の回転を停止させたときに、「７」の図柄がいずれかの有効な入賞ライン３００上に３個揃うと、ボーナス入賞となり、１５枚のメダルが払い出され、その後に、ボーナスゲームへ移行する。
【００８４】
また、ボーナスゲーム中は、メダルが１枚投入となり、また、いずれかの役図柄が第１入賞ライン３０１上に３個揃うと入賞となる特定入賞遊技（ＪＡＣゲーム）が行われる。また、ＪＡＣゲームで入賞すると、１５枚のメダルが払い出される。また、ボーナスゲーム中は、ＪＡＣゲームを最大で１２回行うことができ、そのうち、最大で８回の入賞が可能である。すなわち、ボーナスゲーム中に、ＪＡＣゲームが１２回行われるか、あるいは入賞が８回あると、ボーナスゲームは終了する。そして、一般遊技へ移行する。
【００８５】
（役抽選手段１１０）
役抽選手段１１０は、複数の役のいずれかに当選したか又はハズレかの抽選を行うためのものである。
この役抽選手段１１０は、図示しないが、乱数発生手段と、乱数抽出手段と、役抽選テーブルと、役抽選判定手段とを備えている。
【００８６】
また、乱数発生手段は、役抽選用の乱数を、所定の範囲内（例えば、１０進数で０〜１６３８３）で発生させるためのものである。
また、乱数発生手段は、例えば、発振回路と、この発振回路が発生させたクロック信号をカウントするカウンタ回路とによって構成することができる（いわゆるハード乱数）。
【００８７】
また、乱数発生手段は、例えば、平均採中法で乱数を発生させる手段や、あるいは素数の加算によって乱数を発生させる手段によって構成することもできる。また、これらの手段は、例えば、ＣＰＵに所定のプログラムを実行させることによって構成することができる（いわゆるソフト乱数）。
また、乱数抽出手段は、乱数発生手段が発生させた乱数を、所定の契機（例えば、スタートスイッチ５０の操作）で抽出するためのものである。
【００８８】
なお、乱数発生手段は、カウンタ回路などによって構成されるため、乱数発生手段が発生させる数値は、厳密には乱数ではない。ただ、スタートスイッチ５０が操作されるタイミングは、ランダムであると考えられるため、乱数抽出手段が抽出する数値は、実質的には乱数として取り扱うことができる。
また、役抽選テーブルは、乱数発生手段が発生させる範囲内の各乱数について、複数の役のいずれかに当選させるか又はハズレかをあらかじめ定めたものである。
【００８９】
この役抽選テーブルは、乱数発生手段が発生させる範囲内の各乱数について、ボーナス当選にするか、小役当選にするか、Ｒｅｐｌａｙ当選にするか、あるいはハズレにするかを、あらかじめ定めている。
また、役抽選判定手段は、乱数抽出手段が抽出した乱数と、役抽選テーブルとを照合して、抽選結果の判定を行うためのものである。
【００９０】
この役抽選判定手段は、乱数抽出手段が抽出した乱数と、役抽選テーブルとを照合して、ボーナス当選か、小役当選か、Ｒｅｐｌａｙ当選か、あるいはハズレかの判定を行う。
（停止テーブル１２０）
停止テーブル１２０は、各回転リール４０の停止位置を決定するためのものであって、各ストップスイッチ６０が操作されたときの対応する回転リール４０の回転位置に応じて、各回転リール４０の滑りコマ数をあらかじめ定めたものである。
【００９１】
また、「滑りコマ数」とは、ストップスイッチ６０の操作から対応する回転リール４０の回転がいずれかの適正停止位置で停止するまでの間に通過する適正停止位置の数をいう。
例えば、ストップスイッチ６０の操作後における最初の適正停止位置で対応する回転リール４０の回転が停止すると、ストップスイッチ６０の操作から対応する回転リール４０の回転が停止するまでの間に通過した適正停止位置の数は「０」となることから、滑りコマ数は「０」となる。
【００９２】
また、例えば、ストップスイッチ６０の操作後における最初の適正停止位置を通過し、その次の適正停止位置で対応する回転リール４０の回転が停止すると、ストップスイッチ６０の操作から対応する回転リール４０の回転が停止するまでの間に通過した適正停止位置の数は「１」となることから、滑りコマ数は「１」となる。
また、停止テーブル１２０は、役抽選手段１１０の抽選結果毎に備えられている。
【００９３】
また、各停止テーブル１２０は、０以上４以下の範囲内で、各回転リール４０の滑りコマ数を定めている。
また、いずれかの役に対応した停止テーブル１２０は、当該役に対応した役図柄が図柄表示窓７２に表示されることとなるように、かつ、当該役に対応した役図柄がいずれかの有効な入賞ライン３００上に３個揃い得るように、かつ、当該役以外の役図柄についてはいずれの有効な入賞ライン３００上にも３個揃わないように、各回転リール４０の滑りコマ数を定めている。例えば、ボーナス当選に対応した停止テーブル１２０は、「７」の図柄が図柄表示窓７２に表示されることとなるように、かつ、「７」の図柄がいずれかの有効な入賞ライン３００上に３個揃い得るように、かつ、「７」以外の役図柄についてはいずれの有効な入賞ライン３００上にも３個揃わないように、各回転リール４０の滑りコマ数を定めている。小役当選やＲｅｐｌａｙ当選に対応した各停止テーブル１２０についても同様である。
【００９４】
また、ハズレに対応した停止テーブル１２０は、いずれの役図柄についても有効な入賞ライン３００上に３個揃わないように、各回転リール４０の滑りコマ数を定めている。
（停止制御手段１３０）
停止制御手段１３０は、各回転リール４０の停止制御を行うためのものである。
【００９５】
この停止制御手段１３０は、役抽選手段１１０の抽選結果と、各ストップスイッチ６０が操作されたときの対応する回転リール４０の回転位置とに基づいて、各回転リール４０の停止制御を行う。
具体的には、この停止制御手段１３０は、以下に示すようにして、各回転リール４０の回転を停止させる。
【００９６】
まず、役抽選手段１１０の抽選結果等に基づいて、複数の停止テーブル１２０の中から一の停止テーブル１２０を選択する。次に、この選択した一の停止テーブル１２０と、各ストップスイッチ６０が操作されたときの対応する回転リール４０の回転位置とから、各回転リール４０の滑りコマ数を決定する。
ここで、滑りコマ数が「０」と決定されると、ストップスイッチ６０の操作後における最初の適正停止位置で、対応する回転リール４０の回転を停止させる。このとき、ストップスイッチ６０を操作した際に図柄表示窓７２の上段に表示されていた図柄は、そのまま図柄表示窓７２の上段に停止するように見える。
【００９７】
また、滑りコマ数が「１」と決定されると、ストップスイッチ６０の操作後における最初の適正停止位置を通過させ、その次の適正停止位置で、対応する回転リール４０の回転を停止させる。このとき、ストップスイッチ６０を操作した際に図柄表示窓７２の上段に表示されていた図柄は、回転リール４０の回転方向に１コマ滑るようにして移動して、図柄表示窓７２の中段に停止するように見える。
【００９８】
また、滑りコマ数が「２」と決定されると、ストップスイッチ６０の操作後における最初の適正停止位置と、その次の適正停止位置とを通過させ、更にその次の適正停止位置で、対応する回転リール４０の回転を停止させる。このとき、ストップスイッチ６０を操作した際に図柄表示窓７２の上段に表示されていた図柄は、回転リール４０の回転方向に２コマ滑るようにして移動して、図柄表示窓７２の下段に停止するように見える。
【００９９】
また、この停止制御手段１３０は、停止テーブル１２０に基づいて各回転リール４０の停止制御を行うものであるが、停止テーブル１２０には、各回転リール４０の滑りコマ数が０以上４以下の範囲内で定められている。このため、この停止制御手段１３０は、滑りコマ数の範囲を０以上４以下として、各回転リール４０の停止制御を行うこととなる。
【０１００】
また、この停止制御手段１３０は、停止テーブル１２０に基づいて各回転リール４０の停止制御を行うものであるが、いずれかの役に対応した停止テーブル１２０は、当該役に対応した役図柄が図柄表示窓７２に表示されることとなるように、各回転リール４０の滑りコマ数を定めている。このため、この停止制御手段１３０は、役抽選手段１１０の抽選結果がいずれかの役の当選となったときには、当該役に対応した役図柄が図柄表示窓７２に表示されることとなるいずれかの適正停止位置で、各回転リール４０の回転を停止させることとなる。
【０１０１】
なお、上述したような回転リール４０の停止制御は、停止テーブル１２０を用いた制御であることから、「テーブル制御」などと呼ばれる。
（入賞判定手段１４０）
入賞判定手段１４０は、すべての回転リール４０の回転が停止した際に図柄表示窓７２に表示される図柄の配列に基づいて、複数の役のいずれかに入賞したか又は入賞なしかの判定を行うためのものである。
【０１０２】
この入賞判定手段１４０は、すべての回転リール４０の回転が停止した際に、いずれかの有効な入賞ライン３００上に同一種類の役図柄が３個揃うと、当該役図柄に対応する役に入賞したと判定する。
具体的には、この入賞判定手段１４０は、すべての回転リール４０の回転が停止した際に、いずれかの有効な入賞ライン３００上に「７」の図柄が３個揃うと、ボーナス入賞と判定する。
【０１０３】
また、この入賞判定手段１４０は、すべての回転リール４０の回転が停止した際に、いずれかの有効な入賞ライン３００上に「ベル」の図柄が３個揃うと、小役入賞と判定する。
また、この入賞判定手段１４０は、すべての回転リール４０の回転が停止した際に、いずれかの有効な入賞ライン３００上に「プラム」の図柄が３個揃うと、Ｒｅｐｌａｙ入賞と判定する。
【０１０４】
また、この入賞判定手段１４０は、すべての回転リール４０の回転が停止した際に、いずれの役図柄についても有効な入賞ライン３００上に３個揃わないと、入賞なしと判定する。
なお、すべての回転リール４０の回転が停止した際に、いずれかの有効な入賞ライン３００上に「星」の図柄が３個揃っても、「星」の図柄は役図柄ではないので、入賞とはならない。
【０１０５】
またここで、この入賞判定手段１４０による入賞判定処理について説明する。
入賞判定処理には、図１１ないし図１４に示す入賞判定テーブルが用いられる。この入賞判定テーブルは、第１から第２７までの各入賞ライン３００毎に、「７」「ベル」「プラム」のいずれかの役図柄が３個揃い得るか、又は「７」「ベル」「プラム」のいずれの役図柄も３個揃い得ないかを示すものである。また、この入賞判定テーブル中の「１」は、その「１」の左端の欄に記載されている入賞ライン３００上に、その「１」の上端の欄に記載されている役図柄が３個揃い得ることを示すものであり、また、この入賞判定テーブル中の「０」は、その「０」の左端の欄に記載されている入賞ライン３００上に、その「０」の上端の欄に記載されている役図柄が３個揃い得ないことを示すものである。また、この入賞判定テーブルは、第１から第３までの各回転リール４０の回転が停止する毎に、停止表示図柄に基づいて書き換えられるものである。
【０１０６】
図１１は、すべての回転リール４０が回転しているときの入賞判定テーブルの状態を示している。すべての回転リール４０が回転しているときには、いずれの入賞ライン３００上にもいずれかの役図柄が３個揃い得る。このため、すべての入賞ライン３００についてのすべての役図柄の欄に「１」が記されている。
また、第１回転リール４１がコマ番号０７番の「ベル」の図柄を図柄表示窓７２の中段に表示させて停止し、かつ、第２回転リール４２及び第３回転リール４３が回転しているときには、入賞判定手段１４０は、図柄表示窓７２に表示されている第１回転リール４１上の図柄を検出し、各入賞ライン３００において各役に入賞し得るか否かを判定して、図１２の入賞判定テーブルを作成する。
【０１０７】
また、第１回転リール４１がコマ番号０７番の「ベル」の図柄を図柄表示窓７２の中段に表示させて停止し、かつ、第２回転リール４２がコマ番号１１番の「ベル」の図柄を図柄表示窓７２の中段に表示させて停止し、かつ、第３回転リール４３が回転しているときには、入賞判定手段１４０は、図柄表示窓７２に表示されている第１回転リール４１及び第２回転リール４２上の図柄を検出し、各入賞ライン３００において各役に入賞し得るか否かを判定して、図１３の入賞判定テーブルを作成する。
【０１０８】
また、第１回転リール４１がコマ番号０７番の「ベル」の図柄を図柄表示窓７２の中段に表示させて停止し、かつ、第２回転リール４２がコマ番号１１番の「ベル」の図柄を図柄表示窓７２の中段に表示させて停止し、かつ、第３回転リール４３がコマ番号２０番の「ベル」の図柄を図柄表示窓７２の中段に表示させて停止したときには、入賞判定手段１４０は、図柄表示窓７２に表示されている第１回転リール４１、第２回転リール４２及び第３回転リール４３上の図柄を検出して、図１４の入賞判定テーブルを作成する。そして、入賞判定手段１４０は、この図１４の入賞判定テーブルを参照して、第１入賞ライン３０１上に「ベル」の図柄が３個揃っていると判断し、小役入賞と判定するのである。
【０１０９】
また、本実施の形態では、第１から第２７までの２７本の入賞ライン３００が設けられており、一般遊技中において、メダルの投入枚数が１枚のときには、第１入賞ライン３０１のみが有効になり、また、メダルの投入枚数が２枚のときには、第１から第９までの９本の入賞ライン３００が有効になり、また、メダルの投入枚数が３枚のときには、第１から第２７までの２７本すべての入賞ライン３００が有効になるようにしている。
【０１１０】
このため、この入賞判定手段１４０は、一般遊技中において、メダルの投入枚数が最大に満たないときには、第１から第２７までの２７本の入賞ライン３００のうちの２６本以下の入賞ライン３００に基づいて、入賞判定を行うこととなる。
また、この入賞判定手段１４０は、一般遊技中において、メダルの投入枚数が最大の３枚のときには、第１から第２７までのいずれかの入賞ライン３００上に同一種類の役図柄が３個揃うと、当該役図柄に対応する役に入賞したと判定することとなる。すなわち、この入賞判定手段１４０は、一般遊技中において、メダルの投入枚数が最大の３枚のときには、第１から第３までの各回転リール４０についての停止表示図柄の中にそれぞれ同一種類の役図柄があると、当該役図柄に対応する役に入賞したと判定することとなる。
【０１１１】
また、本実施の形態では、ボーナスゲーム中は、メダルが１枚投入となり、また、いずれかの役図柄が第１入賞ライン３０１上に揃うと入賞となるＪＡＣゲームが行われる。
このため、この入賞判定手段１４０は、ボーナスゲーム中は、第１入賞ライン３０１のみに基づいて、入賞判定を行うこととなる。
【０１１２】
このように、本実施の形態に係るスロットマシン１０は、各回転リール４０毎に３個の図柄を表示するように図柄表示窓７２を形成し、かつ、滑りコマ数の範囲を０以上４以下として各回転リール４０の停止制御を行うように停止制御手段１３０を形成し、かつ、各回転リール４０の周囲には同一種類の役図柄を６個おき以内の間隔で付し、かつ、役抽選手段１１０の抽選結果がいずれかの役の当選となったときには当該役に対応した役図柄が図柄表示窓７２に表示されることとなるいずれかの適正停止位置で各回転リール４０の回転を停止させるように停止制御手段１３０を形成し、かつ、一般遊技中において、メダルの投入枚数が最大の３枚のときには、各回転リール４０についての停止表示図柄の中にそれぞれ同一種類の役図柄があると当該役図柄に対応する役に入賞したと判定するように入賞判定手段１４０を形成している。このため、本実施の形態に係るスロットマシン１０では、一般遊技中において、メダルの投入枚数が最大の３枚のときには、役抽選手段１１０の抽選結果がいずれかの役の当選となると、その役に対応した入賞を引き当てることができる。したがって、遊技に不慣れな遊技者でも、メダルを取りこぼさないのである。
【０１１３】
また、本実施の形態に係るスロットマシン１０は、一般遊技中において、メダルの投入枚数が最大に満たないときには、第１から第２７までの２７本の入賞ラインのうちの２６本以下の入賞ラインに基づいて入賞判定を行う。このため、一般遊技中において、メダルの投入枚数が最大に満たないときには、遊技者の技術が要求されるので、遊技が単調にならないのである。
【０１１４】
また、本実施の形態に係るスロットマシン１０は、ボーナスゲーム中は、第１から第２７までの２７本の入賞ラインのうちの２６本以下の入賞ラインに基づいて入賞判定を行う。このため、ボーナスゲーム中は、遊技者の技術が要求されるので、遊技が単調にならないのである。
（その他の実施の形態）
上記実施の形態では、回転リール４０の停止制御は、「テーブル制御」としたが、回転リール４０の停止制御は、「テーブル制御」に限定されるものではなく、例えば、「プログラム制御」などと呼ばれる制御としてもよい。
【０１１５】
プログラム制御では、まず、役抽選手段１１０の抽選結果に対応したフラグが設定される。次に、この設定されたフラグと、各ストップスイッチ６０が操作されたときの対応する回転リール４０の回転位置とに基づいて、ストップスイッチ６０の操作後における最初の適正停止位置で回転を停止させるか、ストップスイッチ６０の操作後における最初の適正停止位置を通過させ、その次の適正停止位置で回転を停止させるか、ストップスイッチ６０の操作後における最初の適正停止位置から２番目の適正停止位置までを通過させ、３番目の適正停止位置で回転を停止させるか、ストップスイッチ６０の操作後における最初の適正停止位置から３番目の適正停止位置までを通過させ、４番目の適正停止位置で回転を停止させるか、あるいはストップスイッチ６０の操作後における最初の適正停止位置から４番目の適正停止位置までを通過させ、５番目の適正停止位置で回転を停止させるかの判断が行われる。そして、最初の適正停止位置で停止させると判断されれば、最初の適正停止位置で回転リール４０の回転が停止する。また、２番目の適正停止位置で停止させると判断されれば、最初の適正停止位置を通過し、２番目の適正停止位置で回転リール４０の回転が停止する。また、３番目の適正停止位置で停止させると判断されれば、最初の適正停止位置と２番目の適正停止位置とを通過し、３番目の適正停止位置で回転リール４０の回転が停止する。また、４番目の適正停止位置で停止させると判断されれば、最初の適正停止位置と２番目の適正停止位置と３番目の適正停止位置とを通過し、４番目の適正停止位置で回転リール４０の回転が停止する。また、５番目の適正停止位置で停止させると判断されれば、最初の適正停止位置と２番目の適正停止位置と３番目の適正停止位置と４番目の適正停止位置とを通過し、５番目の適正停止位置で回転リール４０の回転が停止する。
【０１１６】
そして、「プログラム制御」としても、滑りコマ数の範囲を０以上４以下として、各回転リール４０の停止制御を行うことができ、更には、役抽選手段１１０の抽選結果がいずれかの当選となったときには、当該役に対応した図柄が図柄表示窓７２に表示されることとなるいずれかの適正停止位置で各回転リール４０の回転を停止させるようにすることができる。
【０１１７】
【発明の効果】
（請求項１）
以上説明したように、請求項１記載の発明によれば、各回転リール毎にＹ個の図柄を表示するように図柄表示窓を形成し、かつ、滑りコマ数の範囲を０以上Ｚ以下として各回転リールの停止制御を行うように形成し、かつ、各回転リールの周囲には同一種類の役図柄を（Ｙ＋Ｚ−１）個おき以内の間隔で付し、かつ、役抽選手段の抽選結果がいずれかの役の当選となったときには当該役に対応した役図柄が図柄表示窓に表示される位置で各回転リールの回転を停止させるように形成し、かつ、各回転リールについての停止表示図柄の中にそれぞれ同一種類の役図柄があると当該役図柄に対応する役に入賞したと判定するように形成したことから、役抽選手段の抽選結果がいずれかの役の当選となれば、その役に対応した入賞を引き当てることができるので、遊技に不慣れな遊技者でもメダルを取りこぼすことがないスロットマシンを提供できるのである。
【０１１８】
（請求項２）
また、請求項２記載の発明によれば、請求項１記載の発明の効果に加え、第１から第３までの３個の回転リールを備え、かつ、各回転リールの周囲に付されている複数個の図柄のうちの３個を表示するように図柄表示窓を形成し、かつ、第１から第２７までの２７本の入賞ラインを設定し、かつ、第１から第２７までのいずれかの入賞ライン上に同一種類の役図柄が揃うと当該役図柄に対応する役に入賞したと判定するように形成したことから、各回転リールについての停止表示図柄の中にそれぞれ同一種類の役図柄があると当該役図柄に対応した役の入賞となるスロットマシンを提供できるのである。
【０１１９】
（請求項３）
また、請求項３記載の発明によれば、請求項２記載の発明の効果に加え、メダルの投入枚数が最大に満たないときには、第１から第２７までの２７本の入賞ラインのうちの２６本以下の入賞ラインに基づいて入賞判定を行うことから、遊技が単調にならないスロットマシンを提供できるのである。
【０１２０】
（請求項４）
また、請求項４記載の発明によれば、請求項２又は３記載の発明の効果に加え、所定の条件が達成されたときには、第１から第２７までの２７本の入賞ラインのうちの２６本以下の入賞ラインに基づいて入賞判定を行うことから、遊技が単調にならないスロットマシンを提供できるのである。
【０１２１】
（請求項５）
更に、請求項５記載の発明によれば、請求項２ないし４記載の発明の効果に加え、特別遊技中は、第１から第２７までの２７本の入賞ラインのうちの２６本以下の入賞ラインに基づいて入賞判定を行うことから、遊技が単調にならないスロットマシンを提供できるのである。
【図面の簡単な説明】
【図１】本発明の実施の形態に係るスロットマシンのブロック図。
【図２】本発明の実施の形態に係るスロットマシンの外観正面図。
【図３】本発明の実施の形態に係るスロットマシンにおける各回転リールの図柄配列を示す概念図。
【図４】本発明の実施の形態に係るスロットマシンにおける図柄表示窓及び出目を示す概念図。
【図５】本発明の実施の形態に係るスロットマシンにおける図柄表示窓及び出目を示す概念図。
【図６】本発明の実施の形態に係るスロットマシンにおける入賞ラインを示す概念図。
【図７】本発明の実施の形態に係るスロットマシンにおける入賞ラインを示す概念図。
【図８】本発明の実施の形態に係るスロットマシンにおける入賞ラインを示す概念図。
【図９】本発明の実施の形態に係るスロットマシンにおける入賞ラインを示す概念図。
【図１０】本発明の実施の形態に係るスロットマシンにおける入賞ラインを示す概念図。
【図１１】本発明の実施の形態に係るスロットマシンの入賞判定テーブルを示す概念図。
【図１２】本発明の実施の形態に係るスロットマシンの入賞判定テーブルを示す概念図。
【図１３】本発明の実施の形態に係るスロットマシンの入賞判定テーブルを示す概念図。
【図１４】本発明の実施の形態に係るスロットマシンの入賞判定テーブルを示す概念図。
【符号の説明】
１０    スロットマシン              ２０    制御装置
３０    リールユニット              ４０    回転リール
４１    第１回転リール              ４２    第２回転リール
４３    第３回転リール
５０    スタートスイッチ            ６０    ストップスイッチ
７０    筐体                        ７１    前扉
７２    図柄表示窓                  ７３    投入スイッチ
７４    ベットスイッチ              ７５    精算スイッチ
７６    ホッパーユニット            ７７    演出用ランプ
７８    スピーカ                    ７９    液晶ディスプレイ
８０    払出口                      ９０    受け皿
１００    遊技制御手段              １０１    一般遊技制御手段
１０２    特別遊技制御手段          １１０    役抽選手段
１２０    停止テーブル              １３０    停止制御手段
１４０    入賞判定手段
２０１    第１回転リール上図柄      ２０２    第１回転リール中図柄
２０３    第１回転リール下図柄      ２０４    第２回転リール上図柄
２０５    第２回転リール中図柄      ２０６    第２回転リール下図柄
２０７    第３回転リール上図柄      ２０８    第３回転リール中図柄
２０９    第３回転リール下図柄
３００    入賞ライン                ３０１    第１入賞ライン
３０２    第２入賞ライン            ３０３    第３入賞ライン
３０４    第４入賞ライン            ３０５    第５入賞ライン
３０６    第６入賞ライン            ３０７    第７入賞ライン
３０８    第８入賞ライン            ３０９    第９入賞ライン
３１０    第１０入賞ライン          ３１１    第１１入賞ライン
３１２    第１２入賞ライン          ３１３    第１３入賞ライン
３１４    第１４入賞ライン          ３１５    第１５入賞ライン
３１６    第１６入賞ライン          ３１７    第１７入賞ライン
３１８    第１８入賞ライン          ３１９    第１９入賞ライン
３２０    第２０入賞ライン          ３２１    第２１入賞ライン
３２２    第２２入賞ライン          ３２３    第２３入賞ライン
３２４    第２４入賞ライン          ３２５    第２５入賞ライン
３２６    第２６入賞ライン          ３２７    第２７入賞ライン
【図１】
2004313447.tif 000003
【図２】
2004313447.tif 000004
【図３】
2004313447.tif 000005
【図４】
2004313447.tif 000006
【図５】
2004313447.tif 000007
【図６】
2004313447.tif 000008
【図７】
2004313447.tif 000009
【図８】
2004313447.tif 000010
【図９】
2004313447.tif 000011
【図１０】
2004313447.tif 000012
【図１１】
2004313447.tif 000013
【図１２】
2004313447.tif 000014
【図１３】
2004313447.tif 000015
【図１４】
2004313447.tif 000016